(57)【要約】【課題】携帯型電子製品に記録されたアドレス帳データを有効に利用すべく、携帯型電子製品のアドレス帳読み取り機能を具有する電話装置及びその方法を提供する。【解決手段】電話装置３を電源と内部にアドレス帳データを具有する携帯型電子製品７と電気的に接続し、該電話装置３には本体３１、ディスプレイモジュール３２、音声インフォメーションを受信及び伝送する受話器ユニット３３、を含み、該本体３１内には該受話器ユニット３３とディスプレイモジュール３２に電気的に接続されたコントローラ３５、並びに該コントローラ３５と電気的に接続された第一伝送インターフェイス３７１を設け、該電話装置３のコントローラ３５は該第一伝送インターフェイス３７１により該携帯式電子製品７のアドレス帳データを受信し、メモリモジュール３６にて保存すると同時に該ディスプレイモジュール３２によって該アドレス帳のデータを表示する。【選択図】  図３
2005229419.tif 000002
【特許請求の範囲】
【請求項１】
電源及び内部にアドレス帳データを保存することのできる携帯型電子製品が電気的に接続される携帯型電子製品のアドレス帳読み取り機能を具有する電話装置において、
前記電話装置には、
本体と、
ディスプレイモジュールと、
音声インフォメーションの受信及び伝送を行う受話器ユニットと、
該受話器ユニットと該ディスプレイモジュールに電気的に接続されるコントローラと、
該コントローラに電気的に接続されるメモリモジュールと、
該コントローラに電気的に接続される第一伝送インターフェイスと、
を含み、
該コントローラは該第一伝送インターフェイスによって該携帯型電子製品のアドレス帳データを受信して該メモリモジュールに保存すると共に、該ディスプレイモジュールによって該アドレス帳データの状態を表示することを特徴とする携帯型電子製品のアドレス帳読み取り機能を具有する電話装置。
【請求項２】
前記第一伝送インターフェイスは赤外線アクセプタであり、赤外線モジュールを前記携帯型電子製品に対応させて赤外線伝送により該アドレス帳データを伝送させることを特徴とする請求項１記載の携帯型電子製品のアドレス帳読み取り機能を具有する電話装置。
【請求項３】
前記第一伝送インターフェイスはUSB連結ポートであり、USBモジュールを前記携帯型電子製品に対応させることでUSB連結方式により前記アドレス帳データをダウンロードすることを特徴とする請求項１記載の携帯型電子製品のアドレス帳読み取り機能を具有する電話装置。
【請求項４】
前記電話装置には該本体上に設けられたタッチコントロールモジュールを含み、該タッチコントロールモジュール表面には異なるブロックに分けられた複数の数字キーが設けられ、該数字キーをタッチする方式により一般の電話ダイヤル機能を執行することを特徴とする請求項１記載の携帯型電子製品のアドレス帳読み取り機能を具有する電話装置。
【請求項５】
前記電話装置には充電モジュール及び第二伝送インターフェイスを含み、
前記充電モジュールは前記電源及び前記コントローラ及び前記携帯型電子製品と電気的に接続され、該コントローラは該充電モジュールの提供する電力を利用し、前記第二伝送インターフェイスを経ることで前記携帯型電子製品に対して充電を行うことを特徴とする請求項１記載の携帯型電子製品のアドレス帳読み取り機能を具有する電話装置。
【請求項６】
前記電話装置における充電モジュールには更に昇圧の機能を具有することを特徴とする請求項５記載の携帯型電子製品のアドレス帳読み取り機能を具有する電話装置。
【請求項７】
電源及び内部にアドレス帳データを保存することのできる携帯型電子製品が電気的に接続される携帯型電子製品のアドレス帳読み取り機能を具有する電話装置において、
前記携帯型電子製品のアドレス帳を読み取る方法として、電話装置により内部にアドレス帳データを保存した携帯型電子製品と電気的に連結し、該電話装置内部には予め設定されたパスワードを有しており、
前記方法には、
a) 該電話装置と該携帯型電子製品を電気的に接続し、
b) パスワードを入力して正否を確認し、正しければ次のｃ)のステップに進むが、正しくなければｄ)のステップに進み、
c) 該携帯型電子製品が該アドレス帳データを該電話装置の機能にまでダウンロードし、完了するとｅ)のステップに進み、
d) 繰り返しパスワードを入力するが、3回以内に正しいパスワードを入力することができればｅ)のステップに進み、
e) アドレス帳データの伝送を中断する
ステップを具有することを特徴とする携帯型電子製品のアドレス帳読み取り機能を具有する電話装置のアドレス帳を読み取る方法。
【請求項８】
前記請求項７の方法において、前記ステップｃにおいて前記アドレス帳データのダウンロードが完成した後、更にステップｃ−１として、該データを閲覧することのできるステップを含むことを特徴とする請求項７記載の携帯型電子製品のアドレス帳読み取り機能を具有する電話装置のアドレス帳を読み取る方法。
【発明の詳細な説明】
【技術分野】
【０００１】
本発明は、携帯型電子製品のアドレス帳を読み取る機能を具有する電話装置及び携帯側電子製品のアドレス帳を読み取る方法に関わる。
【背景技術】
【０００２】
現在、一般の家庭では室内電話以外にもＰＤＡ（パーソナルデータアシスタント）や携帯電話などの電子製品を通信機器として使用しており、特許文献１等に開示されているように、個人の電話やアドレスなどのデータをこういった電子製品内に保存している。特に携帯型の電子製品において、例えば携帯電話を使用して電話をかける際では、内部に記録された電話番号を調べて電話をかけることができ、非常に便利である。
【特許文献１】特開平１１−２３４３８８号公報
【発明の開示】
【発明が解決しようとする課題】
【０００３】
しかし上述のような携帯電話で内部に保存された電話番号を調べて電話をかけるということにおいて、携帯電話で長距離電話をするのは不経済であり、また電磁波による健康への害が懸念される。
したがって、室内ではやはり室内電話を使用するのが妥当であるが、しかし現在の室内電話では約10〜20の電話番号が記録されるが、これでは登録できる件数が少ないため、電話番号を調べるために携帯電話に入力された電話番号を調べ、これを記録するべくメモ帳やペンを用意しなければならず、また桁数が多いことから移し間違えなども起こりやすい。
そこで、本発明は前述した不都合に鑑みてなされたもので、携帯型電子製品に記録されたアドレス帳データを有効に利用すべく、携帯型電子製品のアドレス帳読み取り機能を具有する電話装置及びその方法を提供する。
【課題を解決するための手段】
【０００４】
上記の課題を解決するために、請求項１の発明は、電源及び内部にアドレス帳データを保存することのできる携帯型電子製品が電気的に接続される携帯型電子製品のアドレス帳読み取り機能を具有する電話装置において、前記電話装置には、本体と、ディスプレイモジュールと、音声インフォメーションの受信及び伝送を行う受話器ユニットと、該受話器ユニットと該ディスプレイモジュールに電気的に接続されるコントローラと、該コントローラに電気的に接続されるメモリモジュールと、該コントローラに電気的に接続される第一伝送インターフェイスと、を含み、
該コントローラは該第一伝送インターフェイスによって該携帯型電子製品のアドレス帳データを受信して該メモリモジュールに保存すると共に、該ディスプレイモジュールによって該アドレス帳データの状態を表示することを特徴とする携帯型電子製品のアドレス帳読み取り機能を具有する電話装置である。
【０００５】
請求項２の発明は、前記第一伝送インターフェイスは赤外線アクセプタであり、赤外線モジュールを前記携帯型電子製品に対応させて赤外線伝送により該アドレス帳データを伝送させることを特徴とする請求項１記載の携帯型電子製品のアドレス帳読み取り機能を具有する電話装置である。
請求項３の発明は、前記第一伝送インターフェイスはUSB連結ポートであり、USBモジュールを前記携帯型電子製品に対応させることでUSB連結方式により前記アドレス帳データをダウンロードすることを特徴とする請求項１記載の携帯型電子製品のアドレス帳読み取り機能を具有する電話装置である。
請求項４の発明は、前記電話装置には該本体上に設けられたタッチコントロールモジュールを含み、該タッチコントロールモジュール表面には異なるブロックに分けられた複数の数字キーが設けられ、該数字キーをタッチする方式により一般の電話ダイヤル機能を執行することを特徴とする請求項１記載の携帯型電子製品のアドレス帳読み取り機能を具有する電話装置である。
請求項５の発明は、前記電話装置には充電モジュール及び第二伝送インターフェイスを含み、前記充電モジュールは前記電源及び前記コントローラ及び前記携帯型電子製品と電気的に接続され、該コントローラは該充電モジュールの提供する電力を利用し、前記第二伝送インターフェイスを経ることで前記携帯型電子製品に対して充電を行うことを特徴とする請求項１記載の携帯型電子製品のアドレス帳読み取り機能を具有する電話装置である。
請求項６の発明は、前記電話装置における充電モジュールには更に昇圧の機能を具有することを特徴とする請求項５記載の携帯型電子製品のアドレス帳読み取り機能を具有する電話装置である。
【０００６】
請求項７の発明は、電源及び内部にアドレス帳データを保存することのできる携帯型電子製品が電気的に接続される携帯型電子製品のアドレス帳読み取り機能を具有する電話装置において、前記携帯型電子製品のアドレス帳を読み取る方法として、電話装置により内部にアドレス帳データを保存した携帯型電子製品と電気的に連結し、該電話装置内部には予め設定されたパスワードを有しており、前記方法には、
a) 該電話装置と該携帯型電子製品を電気的に接続し、
b) パスワードを入力して正否を確認し、正しければ次のｃ)のステップに進むが、正しくなければｄ)のステップに進み、
c) 該携帯型電子製品が該アドレス帳データを該電話装置の機能にまでダウンロードし、完了するとｅ)のステップに進み、
d) 繰り返しパスワードを入力するが、3回以内に正しいパスワードを入力することができればｅ)のステップに進み、
e) アドレス帳データの伝送を中断する
ステップを具有することを特徴とする携帯型電子製品のアドレス帳読み取り機能を具有する電話装置のアドレス帳を読み取る方法である。
請求項８の発明は、前記請求項７の方法において、前記ステップｃにおいて前記アドレス帳データのダウンロードが完成した後、更にステップｃ−１として、該データを閲覧することのできるステップを含むことを特徴とする請求項７記載の携帯型電子製品のアドレス帳読み取り機能を具有する電話装置のアドレス帳を読み取る方法である。
【０００７】
すなわち、本発明は、電話装置を電源及び内部にアドレス帳データを具有する携帯型電子製品と電気的に接続し、該電話装置には本体、ディスプレイモジュール、音声インフォメーション受信及び伝送を行う受話器ユニットを設け、該本体内には更に該受話器ユニットと電気的に接続されたコントローラを設け、該コントローラにはメモリモジュール及び第一伝送インターフェイスを電気的に接続することにより、該コントローラは該第一伝送インターフェイスで該携帯型電子製品のアドレス帳データを受信すると同時に該メモリモジュールに保存し、該ディスプレイモジュールによって該アドレス帳データを表示し、更に該電話装置には充電モジュール及び第二伝送インターフェイスを設け、該充電モジュールを該電源及び該コントローラと電気的に接続し、該第二伝送インターフェイスを該コントローラ及び該携帯型電子製品と電気的に接続し、該コントローラは該充電モジュールの提供する電力を使用するが、該電力は該第二伝送インターフェイスを経て該携帯型電子製品に対して充電を行うようにするものであり、この他、該本体上にタッチコントロールモジュールを設け、該タッチコントロールモジュール表面に複数の数字キーを設け、該数字キーをタッチする方式により電話をかける機能を達成させるものである。
本発明の使用方法においては、該電話装置を内部にアドレス帳データを保存できる携帯型電子製品と電気的に接続し、また該電話装置内部には予めパスワードを設置し、該電話装置と該携帯型電子製品とを電気的に接続した後、入力したパスワードの正否を確認し、該パスワードが誤っている場合には使用者が繰り返し入力を行い、該パスワードが正しい場合には該アドレス帳データが該電話装置にダウンロードされ、その後ダウンロードが終了する。或いは該パスワードが誤って3回入力された場合には、該アドレス帳データの伝送を中断する。
【発明の効果】
【０００８】
本発明によると、携帯型電子製品からアドレス帳データをダウンロードすること、並びに携帯型電子製品に対する充電が行えるようになり実用性が増したと同時に、パスワードを入力してデータを読み取ることができる方式にしたことで安全性を高めるという効果が得られる。
【発明を実施するための最良の形態】
【０００９】
本発明の好適な実施例を図面に沿って説明する。
図１，２に示すように、本発明の第一実施例では、電話装置３に本体３１とディスプレイモジュール３２、並びに音声シグナルの受信と伝送を行う受話器ユニット３３、更に該本体３１上に設けられたタッチコントロールモジュール３４並びに携帯型電子製品７のアドレス帳データを受信する第一伝送インターフェイス３７１と該携帯型電子製品７に対して充電を行うための第二伝送インターフェイス３７２とを具有する、本考案の実施例中では、該電話装置３の第一伝送インターフェイス３７１は赤外線（IRDA）アクセプタであり、主に赤外線モジュール３８を用いることにより、赤外線伝送機能を具有する該携帯型電子製品７に対応して遠赤外線による伝送を行い、アドレス帳のデータをダウンロードし、該ディスプレイモジュール３２で該アドレス帳７１の状態を表示する。
【００１０】
前記タッチコントロールモジュール３４においては、その表面に異なるブロックに分けられた複数の数字キー３４１とその他の機能キー３４２とが設けられており、該数字キー３４１やその他の機能キー３４２をタッチすることで、一般の電話のダイヤル機能やその他の機能選択の機能に替えるものとする。また一般には該タッチコントロールモジュール３４の原理は、該タッチコントロールモジュール３４上にタッチした位置の差異によって異なるコントロールシグナルを生じるものであるが、本実施例の該数字キー３４１やその他の機能キー３４２が置かれた位置に対応するコントロールシグナルは、該タッチコントロールモジュール３４の機能原理によるものであり、公知の技術となるため、敢えて説明を加えない。
【００１１】
図２，３に示すように、本実施例における該電話装置３内には該受話器ユニット３３と電気的に接続されるコントローラ３５と、該コントローラ３５に電気的に接続されたメモリモジュール３６、及び該携帯型電子製品７に電気的に接続された第一伝送インターフェイス３７１が設けられている。該電話装置３は主に該電源供給器５及び該携帯型電子製品７と電気的に接続され、該電源供給器５は外部の電源を該携帯型の電子製品７に充電する電力に変換することにより、該携帯型電子製品７内にアドレス帳データ７１を保存させ、該電話装置３がメモリモジュール３６にダウンロード及び保存できるようにする。
【００１２】
図２，４に示すように、本実施例の電話装置３には更に充電モジュール３９を含み、これは前記第二伝送インターフェイス３７２の充電機能に合わせたものであり、前記充電モジュール３９は前記電源供給器５とコントローラ３５に電気的に接続され、該第二伝送インターフェイス３７２は該コントローラ３５及び前記携帯型電子製品７と電気的に接続される。こうして該コントローラ３５は該充電モジュール３９及び該第二伝送インターフェイス３７２を通じて、該電源供給器５が提供する電力を該携帯型電子製品７に対し充電を行う。
また該充電モジュール３９には昇圧機能を具有し、電圧を4.2Vから5Vにまで上げて該コントローラ３５に相応しい電圧を提供する。
【００１３】
図５に示すように、本発明における第二実施例においては、電話装置４の第一伝送インターフェイス４７１をUSB連結ポートとしており、該電話装置４の本体４１内部にUSBモジュールを設け（図中無し）、USB伝送ケーブル８１を使用して携帯型電子製品８と該電話装置４の第一伝送インターフェイス４７１とを接続し、アドレス帳データのダウンロード機能を執行する。
【００１４】
図５，６に示すように、本発明使用のステップにおいては、ステップ６０１で先ずUSB伝送機能を具有する前記携帯型電子製品８と前記電話装置４の第一伝送インターフェイス４７１（USB連結ポート）を、USB伝送ケーブル８１によって相互に連結させる。次にステップ６０２により、使用者が予め設定されたパスワードを入力した後、ステップ６０３により該パスワードの正否を確認する。正しいと認識されればステップ６０５に移り、該ディスプレイモジュール４２で「アドレス帳データをダウンロード」と表示されるが、パスワードが間違っていると認識されれば、ステップ６０４に入り、ここではパスワード入力の回数が計算され、繰り返しパスワードの正否の確認が行われるが、3回以上誤ったパスワードが入力された場合にはステップ６０９が執行され、データ伝送が中断される。パスワードが正確且つ入力が3回以内に成功すれば、ステップ６０５に入り、該ディスプレイモジュール４２が「アドレス帳データをダウンロード」と表示し、これが確定すればステップ６０７に入り、ダウンロード機能を完成させるが、ダウンロードせず且つステップ６０８で「中止」を選択しない場合にはステップ６０６に入り、該ディスプレイモジュール４２上でデータを閲覧することができ、該ステップ６０８中で「中止」を選択した場合には、ステップ６０９に入ってデータ伝送が中断される。
【００１５】
また上述の第二実施例において、前記電話装置３，４に合わせて使用する携帯型電子製品７，８は、一般の携帯電話やPDA等以外にも、一般の携帯型電子製品３，４に対応した第一伝送インターフェイス３７１，４７１の赤外線アクセプタやUSB連結ポートを具有するパーソナルコンピュータやノートブック型パソコン等の内部にアドレス帳データを保存する機能を具有する電子装置でも構わない。また本発明の実施例では赤外線アクセプタやUSB連結ポートを利用してデータの伝送を行う他、リニア方式やノンリニア方式で該電話装置３，４と該携帯型電子製品７，８間のデータ伝送を行うものとしてもよい。
【図面の簡単な説明】
【００１６】
【図１】本発明における第一実施例の立体図である。
【図２】本発明の実施例におけるブロックチャートであり、公知の携帯型電子製品から電源供給器と第一伝送インターフェイスを利用してアドレス帳データをダウンロードし、第二伝送インターフェイスで該携帯型電子製品に対して充電を行う様子を示す図である。
【図３】本発明における実施例の立体図であり、公知における携帯型電子製品及び電源供給器を利用してアドレス帳データをダウンロードする際、赤外線伝送を使用する様子を示す図である。
【図４】本発明における実施例の立体図であり、公知における携帯型電子製品と第二伝送インターフェイスを相互に電気的に接続した様子を示す図である。
【図５】本発明における第二実施例の立体図であり、公知における携帯型電子製品よりアドレス帳をダウンロードする際、USB伝送を利用した様子を示す図である。
【図６】本発明の利用におけるフローチャートである。
【符号の説明】
【００１７】
３，４  電話装置
３１，４１  本体
３２，４２  ディスプレイモジュール
３３  受話器ユニット
３４  タッチコントロールモジュール
３４１  数字キー
３４２  その他の機能キー
３５  コントローラ
３６  メモリモジュール
３７１，４７１  第一伝送インターフェイス
３７２，４７２  第二伝送インターフェイス
３８  赤外線モジュール
３９  充電モジュール
５  電源供給ユニット
６０１〜６０９  ステップ
７，８  携帯型電子製品
７１  アドレス帳データ
８１  USB伝送ケーブル
【図１】
2005229419.tif 000003
【図２】
2005229419.tif 000004
【図３】
2005229419.tif 000005
【図４】
2005229419.tif 000006
【図５】
2005229419.tif 000007
【図６】
2005229419.tif 000008